(57)【要約】【課題】  表示した名前等をいつまでも初期の状態で保持することができ、しかも、必要時以外は名前等の個人情報を隠蔽することができる所有者情報表示具を提供する。【解決手段】  所有者情報表示具２は、杖１や傘等の可搬用具に装着され、名前等を表示する表示具である。表示具２は、幅広な環状の弾性バンドによって形成され、幅方向の中央部を折り返すことにより重ね合わせ可能であり、バンドの外周面には所有者情報３が表示され、バンドを折り返すことにより所有者情報３を隠蔽するように構成する。【選択図】図１
0003191594.tif 000002
【実用新案登録請求の範囲】
【請求項１】
杖や傘等の可搬用具に装着され、名前等を表示する表示具であって、
前記表示具は、幅広な環状の弾性バンドによって形成され、幅方向の中央部を折り返すことにより重ね合わせ可能であり、
前記バンドの外周面には所有者情報が表示され、
前記バンドを折り返すことにより前記所有者情報を隠蔽するように構成した所有者情報表示具。
【請求項２】
前記弾性バンドの内周面には、肉薄とした環状の折り返し部を形成した請求項１に記載の所有者情報表示具。
【請求項３】
前記弾性バンドの内周面を滑り止め面とした請求項１または２のいずれかに記載の所有者情報表示具。
【考案の詳細な説明】
【技術分野】
【０００１】  本考案は、杖や傘等の可搬用具に装着され、名前等を表示する所有者情報表示具に関するものである。
【背景技術】
【０００２】  杖や傘等の可搬用具は、各自の所有物であり、特に杖は、その使用者に適した仕様のものを使用する必要があるが、杖は、色や形状の種類がほぼ同じであり、見分けができないことが多々あった。そこで、自他の杖を見分けやすくするには、一般に、杖の柄（手に持つ部分）に対して、直接に名前等を書いたり、名前シール等を貼り付けたり、名札を入れた名札ケースを紐で結びつけたりしていた。一方、傘の場合は、店舗や公共場所の傘立てに置いたときの盗難を避けるために、傘の柄に名前等を書いたり、名前シール等を貼り付ける他、傘の生地を縛るバンドに対して、名前等を書いたりすることもあった。その他、特開２００６−２２７５４９号公報（特許文献１）には、環状のゴムに飾りを取り付け、この飾りに氏名を書くことが提案されている。
【先行技術文献】
【特許文献】
【０００３】
【特許文献１】特開２００６−２２７５４９号公報
【考案の概要】
【考案が解決しようとする課題】
【０００４】  杖や傘の柄に名前等を書いた場合や名前シール等を貼り付けた場合は、文字が手でこすられて消えてしまったり、雨水で汚れて読めなくなったりする欠点があった。また、名札ケースを取り付けた場合は、紐が切れて紛失したりする欠点があった。一方、傘の生地の部分をとじこむバンドに名前等を書いた場合は、バンド自体、目立たないので、名前等も当然に読みにくいという欠点があった。さらに、いずれの場合も、名前等を露出して表示していることから、個人情報を自ら漏洩するものであり、この個人情報漏洩による詐欺等の犯罪の被害に遭遇する危険があった。【０００５】  本考案が解決しようとする課題は、表示した名前等をいつまでも初期の状態で保持することができ、しかも、必要時以外は名前等の個人情報を隠蔽することができる所有者情報表示具を提供することにある。
【課題を解決するための手段】
【０００６】  そこで、本考案による所有者情報表示具は、杖や傘等の可搬用具に装着され、名前等を表示する表示具であって、前記表示具は、幅広な環状の弾性バンドによって形成され、幅方向の中央部を折り返すことにより重ね合わせ可能であり、前記バンドの外周面には所有者情報が表示され、前記バンドを折り返すことにより前記所有者情報を隠蔽するように構成したことを要旨としている。【０００７】  また、前記弾性バンドの内周面には、肉薄とした環状の折り返し部を形成することが望ましい。【０００８】  さらに、前記弾性バンドの内周面を滑り止め面とすることが望ましい。
【考案の効果】
【０００９】    本考案による所有者情報表示具によれば、外周面に所有者情報が表示された表示具を幅広な環状の弾性バンドとしたので、杖や傘等の可搬用具に装着して折り返えすことができるので、所有者情報を隠蔽することが可能となり、通常の状態においては個人情報の漏洩を防止することができる。また、表示具を環状の弾性バンドで形成しているので、杖や傘等の容易に装着可能であり、しかも安価に提供できるので、特に杖を必要とするお年寄りや介護者が幅広く使用することが可能となる。傘に装着した場合は、表示具を目立つ個所に装着することにより、個人情報を隠蔽した状態であっても盗難を未然に防止することが可能となる。【００１０】  また、弾性バンドの内周面に、肉薄とした環状の折り返し部を形成するならば、杖や傘等の可搬用具に装着したとき、折り返し部によって折り返し位置が定まるとともに、ずれ難くなることから、振動或いは接触しても折り返し状態を維持することが可能となる。【００１１】  さらに、弾性バンドの内周面を滑り止め面とするならば、杖や傘等の可搬用具に装着した後、振動を与えたり或いは接触しても装着位置を保持することが可能となる。
【図面の簡単な説明】
【００１２】
【図１】  本考案に関わる所有者情報表示具を杖に装着した状態を示す正面図である。
【図２】  図１に示す所有者情報表示具の斜視図である。
【図３】  （Ａ）（Ｂ）（Ｃ）は、所有者情報表示具の装着方法を示す説明図である。
【図４】  所有者情報表示具の折り返し部を示す断面図である。
【図５】  所有者情報表示具を傘に装着した状態を示す正面図である。
【考案を実施するための形態】
【００１３】  本考案による所有者情報表示具は、杖や傘等の可搬用具に装着され、名前等を表示する表示具であって、前記表示具は、幅広な環状の弾性バンドによって形成され、幅方向の中央部を折り返すことにより重ね合わせ可能であり、前記バンドの外周面には所有者情報が表示され、前記バンドを折り返すことにより前記所有者情報を隠蔽するように構成している。
【００１４】  以下、図面に基づいて本考案の実施例を詳細に説明する。図１は、所有者情報を記した表示具２を杖１に装着した状態を示している。表示具２は、幅広な環状の弾性バンドによって形成され、外周面には所有者情報３が表示され、図１の拡大円に示すように、弾性バンドを折り返すことにより、所有者情報３を隠蔽するようにしている。
【００１５】  表示具２は、天然ゴム、或いは、レーヨン・ポリウレタン、シリコン等の合成ゴム、または、ゴム糸を芯にして回りを糸で組んだ平ゴム（幅広ゴム）ゴム入り織物を編んだ織ゴム、編ゴムを素材として、図２に示すように、幅広の輪ゴムのように環状に形成されている。また、直径は、杖１等の装着する個所の外径よりもやや小さくされ、表示具２自体の弾力によって保持できるように設定されている。さらに、表示具２の内周面は、滑り止め面としている。上記天然ゴム或いは合成ゴムの場合は、素材自体が有する粘着性等の摩擦力を利用することができる。平ゴムや織ゴムの場合には、繊維に滑り止め剤を付着させるなどによって、摩擦力を高めることが望ましい。ただし、表示具２は、それ自体に弾力を有しているので、必要最小限の滑り止め処理を施せば良い。
【００１６】  表示具２の外周面には、図２に示すように、所有者情報３が表示されている。この所有者情報３は、印刷、転写、レーザー印字、或いは、刺繍等によって形成される。また、所有者情報３の表示位置は、幅方向の中心から片側に偏奇させることが望ましい。さらに、表示具２の内周面には、個人情報以外のマークや模様等の識別情報４を表示しておくことが望ましい。なお、表示具２は、各種の色彩に色付けを行うことが可能であり、多くの色彩の表示具２を用意することにより、識別情報４の代用が可能である。
【００１７】  さらに、表示具２の内周面には、図４に示すように、幅方向の中心に、表示具２自体の厚さよりも肉薄の溝状とした環状の折り返し部５を形成することが望ましい。この折り返し部５を形成することによって、後述するように、杖や傘等の可搬用具に装着したとき、折り返し部５によって折り返し位置が定まりずれ難くなることから、表示具２に対して振動或いは接触しても所有者情報３を安定して隠蔽することが可能となる。また、図４に示す表示具２には、折り返し側の上端外縁に、環状の突堤６が形成されている。この突堤６は、表示具２の上端側を矢示のように折り返したときに、表示具２の下端に係止して振動或いは接触に対して一層強固に阻止することが可能となる。
【００１８】  次に、本考案による所有者情報表示具２の装着方法について、図３によって説明する。まず、図３（Ａ）に示すように、例えば、図１に示した杖１のグリップ１ａよりも下側のポール１ｂの所定位置に表示具２を嵌挿する。その後、表示具２の上端側をめくって、図３（Ｂ）に示すように、上端を矢示の下端方向に移動させる。そして、表示具２の上端を図３（Ｃ）に示すように、下端と一致させることにより装着が完了する。
【００１９】  表示具２を杖１のグリップ１ａに装着したときは、図３（Ａ）に示すように、表示具２の外周面に表示された所有者情報３が露出している。その後、表示具２の上端側を図３（Ｃ）に示す位置まで折り返すと、所有者情報３は表示具２の上端側によって隠蔽される。この状態では、表示具２の内周面に記した花模様等の識別情報４が表示される。所有者情報３を隠蔽した状態では、杖１の所有者が表示具２の色、或いは、識別情報４によって識別できる。また、所有者の個人情報を知りたい場合には、折り返した表示具２の上端側を上方にめくることによって所有者情報３が露出して知ることができる。
【００２０】  図５は、上述した表示具２を傘１０に装着した例を示している。傘１０の場合には、柄部１０ａに装着することが望ましい。装着位置は、表示具２を外し難く、目立つ位置であれば、柄部１０ａのいずれかの位置、または、その他の位置であっても良い。
【００２１】  以上、本発明を実施例に基づき具体的に説明したが、本発明は上記実施例に限定されるものではなく、その要旨を逸脱しない範囲で種々変形可能であることは言うまでもない。前述した実施例において、表示具を単純な円筒形の環状に形成したが、上端側、下端側の端縁を波形に形成したり、或いは、表示具の外周面や内周面にレリーフ状の模様を形成しても良い。また、表示具の適宜の位置に透孔を形成して識別情報としても良い。
【符号の説明】
【００２２】  １      杖
２      所有者情報表示具
３      所有者情報
４      識別情報
５      折り返し部
【図１】
0003191594.tif 000003
【図２】
0003191594.tif 000004
【図３】
0003191594.tif 000005
【図４】
0003191594.tif 000006
【図５】
0003191594.tif 000007